(57)【要約】【課題】電動送風機の小型化及び金型強度を低下させることなく掃除機本体を小型化できる電気掃除機を提供することを課題とする。【解決手段】  上ケース４と下ケース３とからなる掃除機本体１と、該掃除機本体１内を集塵室１６と電動機収納室１３とに区画する仕切壁１５と、前記電動機収納室１３に配置される電動送風機１０と、該電動送風機１０のファンカバー１１に装着されるシールパッキン１４とを備え、前記仕切壁１３は、下ケース３の両側側面と繋がる左フランジ部２０及び右フランンジ部２１と、該左右フランジ２０、２１の間に、前記左フランジ部２０から円弧状に形成される第１当接部２２と、前記電動送風機１０の吸込口２４と連通する連通口２５とを有し、前記シールパッキン１４を前記第１当接部２２と、前記左フランジ部２２とに当接させた。【選択図】  図３
2006149506.tif 000002
【特許請求の範囲】
【請求項１】
上ケースと下ケースとからなる掃除機本体と、該掃除機本体内を集塵室と電動機収納室とに区画する仕切壁と、前記電動機収納室に配置される電動送風機と、該電動送風機のファンカバーに装着されるシール部材とを備え、前記仕切壁は、下ケースの両側側面と繋がるフランジ部と、該両側フランジ部の間に少なくとも一方のフランジ部から円弧状に形成される当接部と、前記電動送風機の吸込口と連通する連通口とを有し、前記シール部材を前記当接部と、前記当接部が形成される側のフランジ部とに当接させたことを特徴とする電気掃除機。
【請求項２】
前記当接部に、前記電動送風機側へ突出する凸部を形成したことを特徴とする請求項１記載の電気掃除機。
【発明の詳細な説明】
【技術分野】
【０００１】
本発明は、電気掃除機本体に内蔵される電動送風機の取り付け構造を改良した電気掃除機に関する。
【背景技術】
【０００２】
従来、掃除機本体内は、仕切壁によって前後を２つの空間に区画され、前方に集塵室、後方に電動送風機を収納する電動送風機収納室とが形成されている。この仕切壁は、下ケースの底面及び両側側面と繋がるフランジ部と、該フランジ部と同一面で、電動送風機のファンカバーに装着されたシールパッキンと当接する円状の当接部と、電動送風機の吸込口と連通する連通口とを有している。
上記構成において、掃除機本体の幅の大きさは、両側のフランジ部と当接部の直径によって決まるので、掃除機本体の幅を小さくするためには、電動送風機を小型化するか、あるいはフランジの幅を狭くする方法が考えられる。
しかしながら、電動送風機が小型化するとパワーも低下するという問題があり、またフランジの幅を小さくすると、金型の強度が低下し金型が破損するという問題があった。
【特許文献１】特開２００２−２５３４４９号公報（Ａ４７Ｌ  ９／００）
【発明の開示】
【発明が解決しようとする課題】
【０００３】
本発明は上記欠点に鑑みなされたもので、電動送風機の小型化及び金型強度を低下させることなく掃除機本体を小型化できる電気掃除機を提供することを課題とする。
【課題を解決するための手段】
【０００４】
本発明の第１の手段は、上ケースと下ケースとからなる掃除機本体と、該掃除機本体内を集塵室と電動機収納室とに区画する仕切壁と、前記電動機収納室に配置される電動送風機と、該電動送風機のファンカバーに装着されるシール部材とを備え、前記仕切壁は、下ケースの両側側面と繋がるフランジ部と、該両側フランジ部の間に少なくとも一方のフランジ部から円弧状に形成される当接部と、前記電動送風機の吸込口と連通する連通口とを有し、前記シール部材を前記当接部と、前記当接部が形成される側のフランジ部とに当接させたことを特徴とする。
【０００５】
また、前記当接部に、前記電動送風機側へ突出する凸部を形成することが好ましい。
【発明の効果】
【０００６】
本発明によると、前記シール部材が当接する部分を円状ではなく円弧状に形成することにより、前記掃除機本体の幅方向に対する当接部の径が小さくなるので、電動送風機の小型化及び金型強度を低下させることなく掃除機本体を小型化できる。また、円弧の部分からはみでるシール部材は、前記フランジ部にて当接されるので、電動送風機の気密性を確保できる。
【発明を実施するための最良の形態】
【０００７】
本発明の実施の形態を図１乃至図５に基づいて以下に説明する。
１は前方に吸気口２を有する掃除機本体で、該掃除機本体１は、上面を開口した下ケース３と、該下ケース３に装着される上ケース４とから構成されている。
５は、一端が前記吸気口２に接続される可撓性を有するホースで、該ホース５の他端にはグリップ部６を有する延長管７が着脱自在に接続され、更に該延長管７の端部には床用吸込具８が取り付けられるようになっている。
９は、前記下ケース３後方の左右両側面に回動自在に支持される後車輪である。
１０は、ファンカバー１１とモーターケース１２とからなる電動送風機で、後述する電動送風機収納室１３に収納される。そして、前記ファンカバー１１の外周には環状のシールパッキン１４が装着されている。
１５は、前記下ケース３内を前後に区画する仕切壁で、前方の空間が集塵袋を収納する集塵室１６、後方の空間が前記電動送風機１０を収納する電動送風機収納室１３及びコードリール１７を収納するコードリール収納室１８が形成されている。
前記仕切壁１５は、図３に示すように前記下ケース３の底面から繋がる下フランジ部１９と、前記下ケース３の両側側面から繋がる左フランジ部２０及び右フランジ部２１と、該左フランジ部２０と同一面で、前記左フランジ部２０から円弧状に形成される第１当接部２２と、該第１当接部２２の内側に円状に形成される第２当接部２３と、前記電動送風機１０の吸込口２４と連通する格子状の連通口２５とを有している。そして、更に、前記第１当接部２２、前記第２当接部２３、前記左フランジ部２０には、図２に示すようにそれぞれ前記電動送風機１０側に突出する凸部２６が形成されている。
前記第１当接部２２の縦方向の直径は、前記ファンカバー１１の直径と略同等（本実施例では１２０ｍｍ）に設定され、横方向は、図３に示す仮想線Ａのように前記左フランジ部２０側へはみだす（本実施例では７ｍｍ）ように設定されている。そして、前記第２当接部２３は、前記第１当接部２２りも内側（本実施例では７ｍｍ）にあり、前記左フランジ部２０に接するように形成されている。
前記電動送風機１０は、前記下ケース３から延びる複数のリブ２７によって支持され、前記シールパッキン１４の前面側は、前記第１当接部２２の凸部２６及び第２当接部２３の凸部２６に当接し、更に前記第１当接部２２からはみだした部分（円弧からはみだした部分）は、前記左フランジ部２０の前記凸部２６に当接されるように配置されている。従って、前記シールパッキン１４の円周面の大半は前記第１当接部２２及び前記第２当接部２２の前記凸部２６と２重状態で密着しているので、前記電動送風機１０の気密性を確実に保持できる構成になっている。
ところで、前記下ケース３は、樹脂成形によって製作されるが、その金型構成を図４に示す。
２８は、主に前記左フランジ部２０、前記右フランジ部２１、前記電動機収納室１３の後方、前記コードリール収納室１８を成形する第１金型で、上下方向にスライドする。
２９は、主に格子状の前記連通口２５、前記第１当接部２２、前記第２当接部２３を成形する第２金型で、前後方向にスライドする。
前記左フランジ部２０の幅は、前記第１金型２８の左サイド部２８ａの厚さによって決定されるが、前記掃除機本体１の幅方向を小さくするために、前記左フランジ部２０の幅を狭くすると、前記第１金型２８の左サイド部２８ａが薄くなって破損してしまう恐れがあり、前記左フランジ部２８の幅は、従来製品から変わらないように設定されている。
【０００８】
本実施例では、前記掃除機本体１の幅方向を小さくするために、前記シールパッキン１４が当接する前記第１当接部２２を円状ではなく円弧状に形成している。この形状とすることで、前記掃除機本体１の幅方向に対する前記第１当接部２２の径が小さくなるので、前記電動送風機１０の小型化及び金型強度を低下させることなく前記掃除機本体１を小型化できるようになる。
【０００９】
ただし、上記構成における前記下ケース３の金型構成は、図５に示すように前記第１金型２８と前記第２金型２９の境界面が前記左フランジ部２０の端部に位置するため、境界面においてバリ３０が発生する。前記左フランジ部２０には、前記シールパッキン１４が当接するため、前記バリ３０があると前記シールパッキン１４と前記左フランジ部２０との間に隙間が生じ、気密性が低下するという問題が発生する。従って、本実施例では、前記第１当接部２２、前記第２当接部２３、前記左フランジ部２０に、前記バリ３０よりも高い前記凸部２６を形成することにより（本実施例では０．７ｍｍ）、前記バリ３０による隙間の発生を解消し、気密性が低下することを防止できる構成となっている。
上記構成によって、前記掃除機本体１の幅を小さくするために、前記シールパッキン１４が当接する前記第１当接部２２を円状ではなく円弧状に形成することによって、前記掃除機本体１の幅方向に対する前記第１当接部２２の径を小さくすることができるので、前記電動送風機１０を小型化して吸引力を低下させたり、あるいは前記左フランジ部２０の幅を狭くして金型強度を低下させるという構成を取ることなく、前記掃除機本体１の幅を小さくすることができる。
【００１０】
尚、上記の実施形態では、前記電動送風機１０の右隣に前記コードリール収納室１８を設けているため、前記右フランジ部２１には前記第１当接部２２がはみだすようにしていないが、前記コードリール収納室１８を前記電動送風機１０の後方あるいは下側に設ける構成であれば、前記第１当接部２２が前記左フランジ部２０と前記右フランジ部２１の両側にはみだすような円弧状の形態とすれば、前記掃除機本体１の幅をより一層小さくすることができる。
【図面の簡単な説明】
【００１１】
【図１】本発明の実施の形態を示す電気掃除機の全体図である。
【図２】同電気掃除機本体の上面から見た断面図である。
【図３】同電気掃除機の下ケースを後側から見た断面図である。
【図４】同電気掃除機の下ケースの金型構成を示す図である。
【図５】図４における要部拡大断面図である。
【符号の説明】
【００１２】
４        上ケース
３        下ケース
１        掃除機本体
１６        集塵室
１３        電動機収納室
１５        仕切壁
１０        電動送風機
１１        ファンカバー
１４        シールパッキン
２０        左フランジ部
２１        右フランジ部
２２        第１当接部
２４        吸込口
２５        連通口
２６        凸部
【図１】
2006149506.tif 000003
【図２】
2006149506.tif 000004
【図３】
2006149506.tif 000005
【図４】
2006149506.tif 000006
【図５】
2006149506.tif 000007